(57)【特許請求の範囲】
【請求項１】
図柄を変動表示する表示装置の近傍に可動役物を備えた遊技機であって、
遊技状態に応じて前記可動役物を駆動する駆動手段と、前記駆動手段の駆動力を前記可動役物に伝達する駆動力伝達手段と、を有し、
前記可動役物は、開口部を形成した収容部材と、前記収容部材に前記開口部から出没可能に収容される被収容部材と、前記開口部を開放または閉鎖する開閉部材と、で構成され、
前記駆動手段は、前記開閉部材の開閉動作と前記被収容部材の出没動作に必要な駆動力を付与する単一の駆動源であり、
前記駆動力伝達手段は、
直線運動により前記開閉部材の前記開閉動作を実現する一方側第１アーム部材と、前記駆動手段の回転駆動力を前記一方側第１アーム部材の前記直線運動に変換する一方側第１偏心カム部材と、
直線運動により前記開閉部材の前記開閉動作を実現する他方側第１アーム部材と、前記駆動手段の回転駆動力を前記他方側第１アーム部材の前記直線運動に変換する他方側第１偏心カム部材と、
直線運動により前記被収容部材の前記出没動作を実現する第２アーム部材と、前記駆動手段の回転駆動力を前記第２アーム部材の前記直線運動に変換する第２偏心カム部材と、
で構成され、
前記一方側第１偏心カム部材と前記他方側第１偏心カム部材とは、同位相となるような状態で設けられ、
前記第２偏心カム部材は、前記一方側第１偏心カム部材及び前記他方側第１偏心カム部材と位相がずれた状態で設けられるとともに、前記一方側第１偏心カム部材と前記他方側第１偏心カム部材との間に位置しており、
任意の位相で前記一方側第１偏心カム部材及び前記他方側第１偏心カム部材により前記直線運動にそれぞれ変換された前記一方側第１アーム部材及び前記他方側第１アーム部材を介して前記開閉部材が前記開口部を開放する開動作が実現され、前記駆動手段がさらに回転駆動した別の位相で前記第２偏心カム部材により前記直線運動に変換された前記第２アーム部材を介して前記被収容部材の前記突出動作が実現されることを特徴とする遊技機。
【発明の詳細な説明】
【技術分野】
【０００１】
本発明は、遊技球や遊技メダル等の遊技媒体を用いて遊技を行う遊技機に関する。
【背景技術】
【０００２】
従来から、センター役物の近傍に可動役物を搭載した遊技機が知られている。この可動役物は、液晶表示装置の近傍に位置しており、遊技状態に応じて動作する。具体的には、可動役物として、窓や障子の役物が開いて、中に液晶で表示されたものが見えるようにしたものが知られている（下記特許文献１参照）。
【特許文献１】特開２００６−３１４４８６号公報
【発明の開示】
【発明が解決しようとする課題】
【０００３】
ところで、上記従来の遊技機の可動役物は、窓や障子の役物が開いて、中に液晶で表示されたものが見えるようにするだけのものであり、最近のように、装飾に派手さを求める遊技環境においては、上述した単純な可動役物では遊技者の興味を引き付けることができなくなってきた。すなわち、上記可動役物は、窓や障子の役物が開いた後に、所定の絵が描かれているのみであり、動作が小さく、かつ単純であるため、斬新さに欠けるものであつた。
【０００４】
また、別の観点からの問題として、遊技中には、遊技者は、液晶表示装置の図柄を見ながら遊技を楽しんでいるため、液晶表示装置の近傍で、可動役物が、僅かに、かつ単純に動作するだけでは、遊技者に気付かれることがなく、可動役物を可動にした意味さえなくなるおそれがある。
【０００５】
換言すれば、遊技者は、大当り遊技に対する期待から、液晶表示装置で変動表示される図柄に夢中となり、遊技中に、その視線が液晶表示装置周囲の可動役物に移ることは少なくなる。このため、可動役物が液晶表示装置周囲に設けられている構成では、可動役物が大きく斬新な動作をしなければ、遊技の途中に、遊技者が可動役物に興味を示すことは困難になる。
【０００６】
そこで、本発明は、簡易な構成の可動役物を用いて、遊技者に斬新な印象を与えることができる遊技機を提供することを目的とする。
【課題を解決するための手段】
【０００７】
請求項１に記載の発明は、図柄を変動表示する表示装置の近傍に可動役物を備えた遊技機であって、遊技状態に応じて前記可動役物を駆動する駆動手段と、前記駆動手段の駆動力を前記可動役物に伝達する駆動力伝達手段と、を有し、前記可動役物は、開口部を形成した収容部材と、前記収容部材に前記開口部から出没可能に収容される被収容部材と、前記開口部を開放または閉鎖する開閉部材と、で構成され、前記駆動手段は、前記開閉部材の開閉動作と前記被収容部材の出没動作に必要な駆動力を付与する単一の駆動源であり、前記駆動力伝達手段は、直線運動により前記開閉部材の前記開閉動作を実現する一方側第１アーム部材と、前記駆動手段の回転駆動力を前記一方側第１アーム部材の前記直線運動に変換する一方側第１偏心カム部材と、直線運動により前記開閉部材の前記開閉動作を実現する他方側第１アーム部材と、前記駆動手段の回転駆動力を前記他方側第１アーム部材の前記直線運動に変換する他方側第１偏心カム部材と、直線運動により前記被収容部材の前記出没動作を実現する第２アーム部材と、前記駆動手段の回転駆動力を前記第２アーム部材の前記直線運動に変換する第２偏心カム部材と、で構成され、前記一方側第１偏心カム部材と前記他方側第１偏心カム部材とは、同位相となるような状態で設けられ、前記第２偏心カム部材は、前記一方側第１偏心カム部材及び前記他方側第１偏心カム部材と位相がずれた状態で設けられるとともに、前記一方側第１偏心カム部材と前記他方側第１偏心カム部材との間に位置しており、任意の位相で前記一方側第１偏心カム部材及び前記他方側第１偏心カム部材により前記直線運動にそれぞれ変換された前記一方側第１アーム部材及び前記他方側第１アーム部材を介して前記開閉部材が前記開口部を開放する開動作が実現され、前記駆動手段がさらに回転駆動した別の位相で前記第２偏心カム部材により前記直線運動に変換された前記第２アーム部材を介して前記被収容部材の前記突出動作が実現されることを特徴とする。
【０００８】
請求項１に記載の発明によれば、可動役物は、遊技状態に応じて駆動力伝達手段により駆動手段の駆動力が伝達されて、開閉部材の開閉動作と被収容部材の出没動作を実現する。そして、各動作の中で、開閉部材が開いて開口部を開放する開動作と被収容部材が収容部材から突出する突出動作とが時間的にずれた形で実現される。具体的には、開閉部材が開いて開口部を開放し、任意の時間経過後に、被収容部材が収容部材から飛び出す。これにより、開閉部材が開くという開動作と被収容部材が収容部材から飛び出すという突出動作が任意の時間をあけて連続するため、可動役物の動作を大きく、かつ斬新なものにすることができる。この結果、遊技者に、可動役物の斬新な動作を印象付けることができ、遊技性を高めることができる。
【００１０】
また、駆動手段は、開閉部材の開閉動作と被収容部材の収容部材からの出没動作に必要な駆動力を付与する単一の駆動源であるため、可動役物の構成を簡易なものにすることができる。これにより、開閉部材の開閉動作と被収容部材の収容部材からの出没動作を別々の駆動源により実現する場合と比較して、部品点数を削減でき、ひいては製造コストを低減することができる。
【００１２】
さらに、任意の位相において一方側第１偏心カム部材及び他方側第１偏心カム部材により直線運動にそれぞれ変換された一方側第１アーム部材及び他方側第１アーム部材を介して開閉部材が開口部を開放する。そして、駆動手段がさらに回転駆動した別の位相において第２偏心カム部材により直線運動に変換された第２アーム部材を介して被収容部材が収容部材から飛び出すように作用する。このように、異なる位相に設けられた各偏心カム部材とそれに連動する各アーム部材を用いることにより、簡易な構成で、開閉部材の開閉動作と被収容部材の収容部材からの出没動作をそれぞれ実現することができる。
【００１３】
特に、各第１偏心カム部材と第２偏心カム部材との位相のずれに伴い、開閉部材の開動作と被収容部材の突出（飛び出し）動作が、任意の時間差で連続するため、開閉部材の開動作から被収容部材の突出動作までを円滑に実現することができる。これにより、開閉部材の開動作と被収容部材の突出動作を一連の動作として印象付けることができる。この結果、遊技者の興味を惹きつけることができ、遊技興趣を高めることができる。
【発明を実施するための最良の形態】
【００１４】
次に、本発明の第１実施形態に係る遊技機について、図面を参照して説明する。なお、本実施形態では本発明を弾球遊技機の一例であるパチンコ機に適用した構成を説明する。
【００１５】
図１及び図２に示すように、第１実施形態に係る遊技機であるパチンコ機（遊技機）１０の前面部には、主として、外枠１２と、内枠１４と、前面枠１６と、上皿部１８と、下皿部２０と、施錠装置２２と、発射ハンドル２４などが設けられている。
【００１６】
外枠１２は、木製の板状体を略長方形の額縁状に組立て固着したものである。内枠１４は、全体がブラスチック製で、外枠１２に対して開閉可能に軸支されている。また、内枠１４の右端中央には施錠装置２２が設けられている。
【００１７】
前面枠１６は、本発明の前面扉の一具体例を示すもので、パチンコ機１０の前面部全体の約２／３のサイズを占め、内枠１４の左端に開閉可能となるように軸支されている。また、前面枠１６は、全体がプラスチック製であり、遊技盤２６（図３及び図４参照）を前方から視認するべく、遊技盤２６に形成された遊技領域２８（図３及び図４参照）の形状に対応して略円形に形成された開口部３０を有している。また、前面枠１６の裏面には、ガラス板３２がガラス枠（図示省略）によって取り付けられている。そして、遊技者を基準とすれば、遊技盤２６に形成された遊技領域２８はガラス板３２の後方に位置するようになっている。なお、本実施形態では、ガラス板３２を前面枠１６の裏面側に取り付けた構成を例にとり説明したが、例えば、前面枠１６の前面側にガラス枠により取り付けてもよい。また、ガラス板３２に替えて、透明な樹脂板を前面枠１６に取り付けることができる。
【００１８】
また、図１及び図２に示すように、前面枠１６の左上方側及び右上方側には、メインスピーカ（図示省略）から出力された音声を前面枠１６の外部に導くための導音部３４がそれぞれ設けられている。各導音部３４は、円筒状の導音部本体３６と、導音部本体３６に形成された複数のスリット３８と、で構成されている。
【００１９】
また、前面枠１６の下方側には、上皿部１８が設けられている。この上皿部１８には、演出ボタン４０と、球貸し操作部１５５と、がそれぞれ設けられている。
【００２０】
また、上皿部１８の下方側には、下皿部２０が設けられている。また、下皿部２０の右下方側には、遊技球を発射させるための発射ハンドル２４が設けられている。この発射ハンドル２４には、発射レバー４４と、発射停止ボタン４６がそれぞれ設けられている。
【００２１】
また、図１及び図２に示すように、下皿部２０の左右下方側には、所定の効果音を出力するための各サブスピーカ４８がそれぞれ設けられている。
【００２２】
また、内枠１４には、遊技領域２８（図３及び図４参照）の形状に合致した開口部（図示省略）が形成されている。この内枠１４の内側面には、遊技盤２６（図３及び図４参照）が取り付けられる。これにより、遊技者は、遊技盤２６の遊技領域２８を内枠１４の開口部及び前面枠１６の開口部３０を通して視認することができる。
【００２３】
さらに、パチンコ機１０の正面左側には、球貸装置（球貸部）１５４が設けられている。本実施形態では、球貸装置１５４として、ＣＲユニットが適用されている。この球貸装置１５４には、プリペイドカードを挿入するカード挿入口１５７が形成されている。なお、球貸装置１５４として、現金ユニットを設けた構成でもよい。この現金ユニットには、カード挿入口１５７に替えて、現金を入れるための現金投入口（図示省略）が形成されている。
【００２４】
また、球貸し操作部１５５には、球貸しを要求するための球貸スイッチ１５６、カード挿入口１５７に挿入されたプリペイドカードの返却を要求するための返却スイッチ１５８と、がそれぞれ設けられている。
【００２５】
例えば、球貸装置１５４のカード挿入口１５７にプリペイドカードを挿入すると、プリペイドカードの記憶情報が球貸装置１５４内部のカードリードライタにより読み取られる。プリペイドカードの残り度数が「０」である場合には、カード挿入口１５７から自動的にプリペイドカードが返却される。一方、プリペイドカードの残り度数が「０」でない場合には、球貸スイッチ１５６を押圧操作すると、カードリードライタによりプリペイドカードの残り度数が減算されてプリペイドカードの記憶情報が書き換えられると共に、その減算された度数に対応する数量の遊技球（貸球）が上皿部１８に案内される。このとき、例えば、プリペイドカードの残り度数が減算されて「０」となった場合には、カード挿入口１５７から自動的にプリペイドカードが返却される。
【００２６】
なお、球貸装置１５４として現金ユニットを用いる構成では、球貸装置の現金投入口に現金を投入すると、現金が球貸装置内部のキャッシュカウンタによりカウントされる。投入金額が所定の額に到達した後、球貸スイッチを押圧操作すると、キャッシュカウンタにより投入金額が減額されていくとともに、その減額された金額に対応する数量の遊技球（貸球）が上皿部１８に案内される。
【００２７】
次に、遊技盤２６の表面構造について、図３及び図４を参照して説明する。
【００２８】
図３及び図４に示すように、遊技盤２６は、内枠１４に保持されるとともに、裏機構盤（図示省略）よりその背面側が覆われている。遊技盤２６には、遊技盤２６の表面に設けられた外レール５０と内レール５２とにより略円形状の遊技領域２８が形成されている。遊技領域２８の内部には、中央装置５４と、始動口５６Ｂを有する普通電動役物５６と、多数の障害釘６０と、風車６３等と、がそれぞれ配設されている。
【００２９】
中央装置５４は、遊技領域２８の略中央部に配置されており、演出図柄表示装置６２（表示装置）と、可動装飾物２００（可動役物）と、ランプ装置６６と、を備えている。
【００３０】
演出図柄表示装置６２は、後述の主制御基板１０２（図５参照）やサブ制御基板１０６（図５参照）からの制御信号に基づいて表示制御されており、略長方形状の表示面６２Ａを有している。この表示面６２Ａ上には、特別図柄の演出図柄が表示される。具体的には、演出図柄表示装置６２の表示面６２Ａ上には、１又は複数の演出図柄を所定の方向に次々と変動させながら表示した後、停止表示する演出図柄表示領域が形成されている。すなわち、左演出図柄を表示する左演出図柄表示領域、中央演出図柄を表示する中央演出図柄表示領域、及び右演出図柄を表示する右演出図柄表示領域が、略横一列となる配置方向に沿って並んで形成されている（それぞれ図示省略）。各演出図柄表示領域は、これらの表示領域の配置方向と略直交する方向（上下方向）に図柄変動方向が設定されており、その方向に複数の演出図柄が順次表示されていく。
【００３１】
演出図柄表示装置６２は、遊技球が普通電動役物５６の始動口５６Ｂに入球することにより、その表示面６２Ａの表示領域に表示される各演出図柄をそれぞれ変動させて停止表示させるものである。そして、例えば、演出図柄が「７、７、７」の３桁同一図柄で揃って停止表示（確定表示）すると、後述の変動入賞装置８０に配設された後述の大入賞装置８４の大入賞口８６が開放される。本実施形態のパチンコ機１０では普通電動役物５６の始動口５６Ｂに遊技球が入球すると、各演出図柄がそれぞれ変動され、演出図柄が３桁同一図柄で揃うことにより、「大当り」という特定価値を付与するものである。
【００３２】
ここで、本実施形態のパチンコ機１０では、例えば、大当りとして２種類のものが予め設定されている。具体的には、「７、７、７」などの同一の奇数数字の演出図柄が３桁揃うことにより成立する確変大当りがある。また、「８、８、８」などの同一の偶数数字の演出図柄が３桁揃うことにより成立する通常大当りがある。
【００３３】
確変大当り及び通常大当りは、比較的多くのラウンド数（例えば１５ラウンド）を有し、大入賞口８６の開放時間が約２６秒間である大当りである。このため、賞球数が比較的多くなる。なお、各大当りでは、大入賞口８６に所定数（例えば、１０個）の遊技球が入球するか、あるいは所定数（例えば、１０個）の遊技球が入球しなくても所定時間（例えば２６秒間）が経過したときに大入賞口８６が閉じられて１ラウンドが終了する。
【００３４】
また、確率変動状態は、大当り（確変大当り、通常大当りの２種類の大当り意味する）に移行する確率が予め定められた高確率となる状態である。また、開放時間延長状態は、普通電動役物５６の始動口５６Ｂの開放時間が通常よりも延長される状態である。例えば、通常の開放時間は、約０．１秒間であるのに対して、開放時間延長状態では、約４秒間に延長される。なお、普通電動役物５６の始動口５６Ｂは、普通図柄に当選することにより開放する。
【００３５】
また、確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ普通電動役物５６の開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ普通電動役物５６の開放延長機能が作動する時短遊技状態となる。
【００３６】
次に、本発明の要部となる可動装飾物の構成について詳細に説明する。
図７乃至図１６に示すように、可動装飾物（可動役物）２００は、主として、鍋容器をモチーフにした鍋容器部材（収容部材）２０２と、鍋蓋をモチーフにした鍋蓋部材（開閉部材）２０４と、鍋容器の内部にある食材をモチーフにした食材部材（被収容部材）２０６と、で構成されている。鍋容器部材２０２、鍋蓋部材２０４及び食材部材２０６は、プラスチック樹脂で一体形成されている。
【００３７】
図８、図９、図１１、図１２、図１４、図１５に示すように、鍋容器部材２０２は、全体として筒状に形成されており、軸方向一方側には開口部２０８が形成され、軸方向他方側には底部２１０が形成されている。この底部２１０の略中央部には、後述のシャフト部材２１８が挿通可能な貫通孔２１２が形成されている。また、この底部２１０の径方向端部側には、後述のリンクアーム部材２４４が挿通可能な溝部２１４が形成されている。
【００３８】
食材部材２０６は、任意の色彩が施され、全体として略円柱状に形成されている。本実施形態では、食材部材２０６は、全体的に赤色に施されている。
【００３９】
また、食材部材２０６の底面には、円盤状のベース部材２１６が取り付けられている。このベース部材２１６の裏面略中央部には、シャフト部材（駆動力伝達手段、第２アーム部材）２１８が取り付けられている。このシャフト部材２１８の一方側端部は、鍋容器部材２０２の底部２１０の形成された貫通孔２１２に挿通可能なように設定されている。また、シャフト部材２１８の一方側端部には接触部材２１８Ａが形成されており、この接触部材２１８Ａが後述の中央偏心カム部材２５８の外周面に接触している。
【００４０】
また、ベース部材２１６の裏面側と鍋容器部材２０２の底部２１０との間は、複数のコイルばね２２０で接続されている。食材部材２０６が鍋容器部材２０２に完全に収容された状態では、コイルばね２２０は僅かに伸びた状態になっており、ベース部材２１６及び鍋容器部材２０２の底部２１０に対して小さな引張力が作用された状態になっている。これにより、ベース部材２１６が鍋容器部材２０２の底部２１０側に常に小さな力で引っ張られる力学状態となる。一方、食材部材２０６が鍋容器部材２０２の開口部２０８から突出した（飛び出た）状態では、コイルばね２２０はさらに伸びた状態になり、ベース部材２１６及び鍋容器部材２０２の底部２１０に対して大きな引張力が作用された状態になっている。これにより、ベース部材２１６が鍋容器部材２０２の底部２１０側に常に大きな力で引っ張られる力学状態となる。
【００４１】
図７、図８、図９、図１３、図１４に示すように、鍋蓋部材２０４は、全体としておわん状に形成されており、開閉動作により、鍋容器部材２０２の開口部２０８を開放又は閉塞するものである。そして、この鍋蓋部材２０４には、取付部材２２２が設けられている。
【００４２】
また、鍋蓋部材２０４の取付部材２２２には、第１回転軸２２４が挿通されている。さらに、この第１回転軸２２４には、回転支持部材（駆動力伝達手段、第１アーム部材）２２６の先端部が取り付けられている。このため、鍋蓋部材２０４は、第１回転軸２２４と共に第１回転軸２２４の軸線回りに回転可能に構成されている。また、鍋蓋部材２０４の取付部材２２２と鍋蓋部材２０４の先端部との間には、ねじりばね２２８が介在されており、鍋蓋部材２０４が鍋容器部材２０２の開口部２０８を閉じる方向に向かって、常に鍋蓋部材２０４が回転するように付勢している。
【００４３】
また、鍋蓋部材２０４の取付部材２２２には、係止片２３０が形成されている。鍋蓋部材２０４が開いた状態では、係止片２３０に後述の突起部材２３４が接触しており、鍋蓋部材２０４の回転が阻止されている。すなわち、鍋蓋部材２０４にはねじりばね２２８から開口部２０８を閉塞しようとする方向に弾性力が作用しているが、係止片２３０に突起部材２３４が接触した状態では、突起部材２３４により鍋蓋部材２０４の第１回転軸２２４の軸線回りの回転が阻止されるため、鍋蓋部材２０４が開いた状態が維持される。
【００４４】
また、図８、図１１、図１４に示すように、回転支持部材２２６の先端部近傍には、切欠き状の溝部２３２が形成されており、この溝部２３２には、上述した係止片２３０が挿入されている。また、溝部２３２には、突起部材２３４が挿入可能に構成されている。すなわち、回転支持部材２２６が所定の姿勢となる状態では、溝部２３２に突起部材２３４が挿入されて係止片２３０を下方から支持するとともに、回転支持部材２２６が別の姿勢となる状態では、溝部２３２から突起部材２３４が抜け出て係止片２３０との接触が解消される。
【００４５】
また、図８、図１１、図１４に示すように、回転支持部材２２６の後端部下部には、貫通孔が形成されている。この貫通孔には、第２回転軸２３６が挿通されている。第２回転軸２３６の両端部は、装着部材２３８に形成された軸受部材２４０に回転可能に支持されている。これにより、回転支持部材２２６は、第２回転軸２３６と共に第２回転軸２３６の軸線回りに回転可能に構成されている。なお、装着部材２３８とは、鍋容器部材２０２の下方に装着された部材であり、可動装飾物２００を遊技盤２６に対して安定して固定するための機能を有するものである。
【００４６】
また、回転支持部材２２６の後端部上部には、貫通孔が形成されている。この貫通孔には、第３回転軸２４２が挿通されている。第３回転軸２４２の両端部は、後述のリンクアーム部材２４４に形成された軸受部材２４６に回転可能に支持されている。これにより、回転支持部材２２６は、第３回転軸２４２と共に第３回転軸２４２の軸線回りに回転可能に構成されている。
【００４７】
リンクアーム部材（駆動力伝達手段、第１アーム部材）２４４は、全体として平板状に形成されており、その先端側には、第３回転軸２４２を回転可能に支持する軸受部材２４６が形成されている。また、リンクアーム部材２４４の後端側の幅方向両端部には、幅方向内側に向かって突出する爪部材２４４Ａがそれぞれ形成されている。
【００４８】
また、装着部材２３８は、平板状の突出片２４８を備えている。この突出片２４８には、上述したように、回転支持部材２２６の後端部下部を挿通した第２回転軸２３６の両端部が回転可能に支持されている。また、突出片２４８には、上述した突起部材２３４が形成されている。この突起部材２３４は、鍋蓋部材２０４の係止片２３０を下方から支持して鍋蓋部材２０４の回転を阻止することにより、鍋蓋部材２０４の開いた状態が維持される。
【００４９】
また、装着部材２３８には、駆動モータ（駆動手段、駆動源）２５０が取り付けられている。駆動モータ２５０には、回転駆動する駆動シャフト２５２が取り付けられている。図８及び図１４に示すように、この駆動シャフト２５２には、左側偏心カム部材（駆動力伝達手段、第１偏心カム部材）２５４と、右側偏心カム部材（駆動力伝達手段、第１偏心カム部材）２５６と、左側偏心カム部材２５４と右側偏心カム部材２５６との間に位置した中央偏心カム部材（駆動力伝達手段、第２偏心カム部材）２５８が取り付けられている。
【００５０】
左側偏心カム部材２５４及び右側偏心カム部材２５６は、共に同一の形状に形成されている。このため、左側偏心カム部材２５４を例に挙げて、その形状を詳細に説明する。図８、図１２、図１７、図１８に示すように、左側偏心カム部材２５４は、駆動シャフト２５２から縁部までの長さが外周方向に沿って変化するように形成されている。すなわち、左側偏心カム部材２５４は、駆動シャフト２５２から最も遠い距離にある大型湾曲部材２５４Ａと、駆動シャフト２５２から最も短い距離にある小型湾曲部材２５４Ｂと、を有し、全体的に滑らかな湾曲状に形成されている。
【００５１】
ここで、左側偏心カム部材２５４の大型湾曲部材２５４Ａの一部にリンクアーム部材２４４の爪部材２４４Ａが位置しているときには、リンクアーム部材２４４は左側偏心カム部材２５４から押圧力を受けて押し出される。これにより、回転支持部材２２６の後端部上部がリンクアーム部材２４４から押圧力を受けて押し出され、回転支持部材２２６がリンクアーム部材２４４と略平行になる。この状態では、図２０（Ａ）に示すように、突起部材２３４が回転支持部材２２６に形成された溝部２３２に挿入されるとともに、鍋蓋部材２０４の係止片２３０を下方から支持することにより、ねじりばね２２８の弾性力に対抗する形で鍋蓋部材２０４の回転が阻止された状態になる。この結果、鍋蓋部材２０４が開動作して開口部２０８が開放した状態が維持される。また、左側偏心カム部材２５４の大型湾曲部材２５４Ａの別の部位にリンクアーム部材２４４の爪部材２４４Ａが位置しているときも、同様にして蓋部材２０４の回転が阻止された状態になる。
【００５２】
一方、左側偏心カム部材２５４の小型湾曲部材２５４Ｂの一部にリンクアーム部材２４４の爪部材２４４Ａが位置しているときは、リンクアーム部材２４４が引き込まれることになり、回転支持部材２２６の後端部上部がリンクアーム部材２４４により引っ張られる。これにより、回転支持部材２２６は、第２回転軸２３６の軸線回りに回転し、その先端部が持ち上げられる。この状態では、図２０（Ｂ）に示すように、突起部材２３４が回転支持部材２２６に形成された溝部２３２から抜け出て鍋蓋部材２０４の係止片２３０から離間する。この結果、鍋蓋部材２０４には、ねじりばね２２８の弾性力に対抗する力が作用しなくなるため、鍋蓋部材２０４はねじりばね２２８の弾性力により回転され、鍋容器部材２０２の開口部２０８が閉塞された状態になる。
【００５３】
また、図１７に示すように、左側偏心カム部材２５４の外側縁部には、外周に沿って溝状の凹部２５４Ｃが形成されている。この凹部２５４Ｃにはリンクアーム部材２４４の左側の爪部材２４４Ａが挿入されており、左側偏心カム部材２５４が回転すると、左側の爪部材２４４Ａが凹部２５４Ｃ内を移動する。このとき、左側の爪部材２４４Ａは、左側偏心カム部材２５４の凹部側面と接触しながら、凹部２５４Ｃに対して移動することになる。
【００５４】
なお、右側偏心カム部材２５６の構成と動作は、左側偏心カム部材２５４と同一である。すなわち、右側偏心カム部材２５６の外側縁部には、外周に沿って溝状の凹部２５６Ｃが形成されている。この凹部２５６Ｃにはリンクアーム部材２４４の右側の爪部材２４４Ａが挿入されており、右側偏心カム部材２５６が回転すると、右側の爪部材２４４Ａが凹部２５６Ｃ内を移動する。このとき、右側の爪部材２４４Ａは、右側偏心カム部材２５６の凹部側面と接触しながら、凹部２５６Ｃに対して移動することになる。
【００５５】
また、左側偏心カム部材２５４と右側偏心カム部材２５６とは、相互に同位相となるように駆動シャフト２５２に設けられている。ここで、「同位相」とは、左側偏心カム部材２５４の大型湾曲部材２５４Ａの任意方向に対する駆動シャフト２５２回りの開き角度と右側偏心カム部材２５６の大型湾曲部材２５６Ａの任意方向に対する駆動シャフト２５２回りの開き角度とが同じであり、左側偏心カム部材２５４の小型湾曲部材２５４Ｂの任意方向に対する駆動シャフト２５２回りの開き角度と右側偏心カム部材２５６の小型湾曲部材２５６Ｂの任意方向に対する駆動シャフト２５２回りの開き角度とが同じ角度であることを意味する。
【００５６】
中央偏心カム部材２５８は、駆動シャフト２５２から最も遠い距離にある大型湾曲部材２５８Ａと、駆動シャフト２５２から最も短い距離にある小型湾曲部材２５８Ｂと、を有し、全体的に滑らかな湾曲状に形成されている。また、中央偏心カム部材２５８の外周面には、シャフト部材２１８の一方側端部の接触部材２１８Ａが接触しており、中央偏心カム部材２５８が回転すると、その接触部材２１８Ａが中央偏心カム部材２５８の外周面上を移動する。このとき、シャフト部材２１８は、コイルばね２２０の弾性力と中央偏心カム部材２５８の外周面からの押圧力との力関係によって、軸方向に沿って移動することになる。
【００５７】
中央偏心カム部材２５８の大型湾曲部材２５８Ａの外周面にシャフト部材２１８の一方側端部の接触部材２１８Ａが接触しているときは、中央偏心カム部材２５８からの押圧力がコイルばね２２０からの弾性力（引張力）と比較して大きくなるため、シャフト部材２１８は中央偏心カム部材２５８から押圧されて食材部材２０６がコイルばね２２０の弾性力に対抗する形で押し上げられる。これにより、食材部材２０６は、鍋容器部材２０２から飛び出すようになる。一方、中央偏心カム部材２５８の小型湾曲部材２５８Ｂの外周面にシャフト部材２１８の一方側端部の接触部材２１８Ａが位置しているときは、コイルばね２２０からの弾性力（引張力）が中央偏心カム部材２５８からの押圧力と比較して大きくなるため、コイルばね２２０からの引張力によってシャフト部材２１８が引き込まれることになる。これにより、食材部材２０６は、鍋容器部材２０２に収容される。
【００５８】
また、図１７及び図１８に示すように、中央偏心カム部材２５８と左側偏心カム部材２５４（右側偏心カム部材２５６）とは、相互に異なる位相となるように駆動シャフト２５２に設けられている。ここで、「異なる位相」とは、左側偏心カム部材２５４（右側偏心カム部材２５６）の大型湾曲部材２５４Ａ（２５６Ａ）の駆動シャフト２５２外周面上の任意点からの駆動シャフト２５２回りの開き角度と中央偏心カム部材２５８の大型湾曲部材２５８Ａの駆動シャフト２５２外周面上の任意点からの駆動シャフト２５２回りの開き角度とが異なり、かつ、左側偏心カム部材２５４（右側偏心カム部材２５６）の小型湾曲部材２５４Ｂ（２５６Ｂ）の駆動シャフト２５２外周面上の任意点からの駆動シャフト２５２回りの開き角度と中央偏心カム部材２５８の小型湾曲部材２５８Ｂの駆動シャフト２５２外周面上の任意点からの駆動シャフト２５２回りの開き角度とが異なる角度であることを意味する。
【００５９】
また、図３及び図４に示すように、遊技領域の左下方側には、主制御基板１０２からの制御信号に基づいて識別図柄（特別図柄の識別図柄及び普通図柄の識別図柄を意味する）を表示制御する７セグ表示基板（図柄表示装置）６８が配置されている。この７セグ表示基板６８は、特別図柄の識別図柄を表示する７セグメント表示器７０と、４個の普通図柄保留表示ＬＥＤ７２と、４個の特別図柄保留表示ＬＥＤ７４と、普通図柄の識別図柄を表示する２個の普通図柄表示ＬＥＤ７６と、を有している。
【００６０】
ここで、確変大当りした場合では、７セグメント表示器７０には、予め定められた図柄（例えば奇数の数字）が表示される。また、通常大当りした場合では、７セグメント表示器７０には、予め定められた別の図柄（例えば偶数の数字）が表示される。そして、各大当りのラウンド中では、７セグメント表示器７０にはその図柄が表示される。
【００６１】
また、演出図柄表示装置６２の左側には、普通図柄作動ゲート７８が配置されている。この普通図柄作動ゲート７８の内部には、ゲートスイッチ１２４（図５参照）が配設されている。これにより、遊技球が普通図柄作動ゲート７８を通過すると、ゲートスイッチ１２４が作動して、７セグ表示基板６８の普通図柄表示ＬＥＤ７６が変動表示される。
【００６２】
各普通図柄保留表示ＬＥＤ７２及び各特別図柄保留表示ＬＥＤ７４は、４個の丸形の赤色ＬＥＤで構成されており、７セグメント表示器７０の左右両側に近接して配置されている。これは、普通図柄作動ゲート７８を通過した遊技球の数を４個まで普通図柄の保留とし、通過ごとに順次点灯しシフト表示するものである。また、普通電動役物５６の始動口５６Ｂに入球した遊技球の数も４個まで特別図柄の保留とし、入球ごとに順次点灯しシフト表示するものである。７セグメント表示器７０の変動表示が開始するたびに、未始動回数が消化され、１個の特別図柄保留表示ＬＥＤ７４は消灯される。また、普通図柄も普通図柄表示ＬＥＤ７６の変動表示が開始するたびに、未始動回数が消化され、１個の普通図柄保留表示ＬＥＤ７２が消灯される。そして、７セグメント表示器７０に予め定められた大当り図柄が停止表示されると大当りが発生し、後述の大入賞口８６が開放状態となる。また、２個の普通図柄表示ＬＥＤ７６が予め定められた表示態様（当り図柄）で停止表示されると、普通図柄当りが発生し、普通電動役物５６の始動口５６Ｂが開放状態となる。なお、７セグメント表示器７０にて表示される特別図柄の識別図柄と、演出図柄表示装置６２にて表示される特別図柄の演出図柄とは、同一の遊技結果（抽選結果）を示すものである。
【００６３】
普通電動役物５６の始動口５６Ｂは、演出図柄表示装置６２の下方に離れて配置されているものであり、いわゆるチューリップ式で一対の翼片部材５６Ａが開閉するように形成されている。その内部には、遊技球の通過を検知する始動口スイッチ１２０（図５参照）と、翼片部材５６Ａを作動させるための普通電動役物ソレノイド１３０（図５参照）と、がそれぞれ備えられている。この一対の翼片部材５６Ａが左右に開くと始動口５６Ｂの開放面積が大きくなって遊技球の入球可能性が大きくなる開放状態となり、一対の翼片部材５６Ａが閉じその離間距離が小さくなると始動口５６Ｂの開放面積が小さくなって遊技球の入球の可能性が小さくなる通常状態となる。
【００６４】
変動入賞装置８０は、普通電動役物５６の下方に配置されており、基板８２と、大入賞装置８４と、を備えている。ここで、大入賞装置８４は、略中央に配置されており、帯状に開口された大入賞口８６と、この大入賞口８６を開放又は閉鎖する開閉板８８と、この開閉板８８を開閉するための大入賞口ソレノイド１３２（図５参照）と、入賞球を検知するカウントスイッチ１２６（図５参照）と、を備えている。
【００６５】
また、中央装置５４の左側下方部には、風車６３が配置されている。さらに、遊技領域の左側下方部及び右側下方には、一対のサイドランプ９０がそれぞれ配置されている。
【００６６】
また、遊技盤２６の下方にはアウト口９２が設けられており、このアウト口９２の下部にはバック球防止部材９４が設けられている。このバック球防止部材９４は、遊技領域２８に到達せず戻ってきた遊技球が再び発射位置に戻ることを防止している。また、内レール５２の先端部には、ファール球防止部材９６が取り付けられている。
【００６７】
次に、パチンコ機１０を構成する電子制御装置について説明する。
【００６８】
図５及び図６に示すように、電子制御装置は、主制御基板１０２と、払出制御基板１０４と、サブ制御基板１０６と、発射制御基板１０８と、を備えている。
【００６９】
主制御基板１０２は、ＣＰＵ１０２Ａと、ＲＯＭ１０２Ｂと、を備えている。主制御基板１０２のＣＰＵ１０２Ａは、ＲＯＭ１０２Ｂに記憶されたデータに基づいて、後述の普通電動役物ソレノイド１３０、後述の大入賞口ソレノイド１３２、後述の図柄表示装置１３４及びサブ制御基板１０６をそれぞれ制御する。また、主制御基板１０２のＣＰＵ１０２Ａは、遊技全体を司り主として当否判定などの遊技状態を判断するものであり、この判断した遊技状態に沿った遊技環境（演出態様）を実現させるように制御するサブ制御基板１０６及び払出制御基板１０４を直接的に制御する。また、主制御基板１０２のＣＰＵ１０２Ａは、演出表示基板１１０、アンプ基板１１２、装飾駆動基板１１４及び演出ボタン基板１１６をサブ制御基板１０６を介して間接的に制御する。また、主制御基板１０２のＲＯＭ１０２Ｂには、ＣＰＵ１０２Ａにより実行される遊技全体の制御を実現するためのプログラムが記憶されている。
【００７０】
また、主制御基板１０２は、中継端子板１１８を介して、始動口スイッチ１２０と、大入賞口スイッチ１２２と、ゲートスイッチ１２４と、カウントスイッチ１２６と、にそれぞれ電気的に接続されている。
【００７１】
また、主制御基板１０２は、中継端子板１２８を介して、普通電動役物ソレノイド１３０と、大入賞口ソレノイド１３２と、図柄表示装置１３４と、にそれぞれ電気的に接続されている。なお、７セグ表示基板６８は、図柄表示装置１３４の一実施形態である。
【００７２】
払出制御基板１０４は、中継端子板１３６を介して、ガラス枠スイッチ１３８と、外部タンクスイッチ１４０と、タンクスイッチ１４２と、にそれぞれ電気的に接続されている。また、払出制御基板１０４は、中継端子板１４４を介して、エラーＬＥＤ１４６に電気的に接続されている。また、払出制御基板１０４は、下皿満タンスイッチ１４８に電気的に接続されている。また、払出制御基板１０４は、中継端子板１５０を介して、球貸表示基板１５２と、球貸装置（ＣＲユニット）１５４と、にそれぞれ電気的に接続されている。
【００７３】
なお、球貸表示基板１５２には、球貸スイッチ１５６と、返却スイッチ１５８と、がそれぞれ電気的に接続されている。また、払出制御基板１０４は、中継端子板１６０を介して、払出モータ１６２と払出スイッチ１６４とにそれぞれ電気的に接続されている。さらに、払出制御基板１０４は、主制御基板１０２と発射制御基板１０８とにそれぞれ電気的に接続されている。
【００７４】
サブ制御基板１０６は、演出表示基板１１０と、アンプ基板１１２と、装飾駆動基板１１４と、演出ボタン基板１１６と、にそれぞれ電気的に接続されている。
【００７５】
また、サブ制御基板１０６は、主制御基板１０２からの制御信号に基づいて遊技の演出の制御を司るものである。また、サブ制御基板１０６は、ＣＰＵ１０６Ａと、ＲＯＭ１０６Ｂと、を備えている。
【００７６】
サブ制御基板１０６のＣＰＵ１０６Ａは、主制御基板１０２からの制御信号を受けて演出表示基板１１０、アンプ基板１１２、装飾駆動基板１１４及び演出ボタン基板１１６などの各基板を制御する。特に、本実施形態では、ＣＰＵ１０６Ａは、ＲＯＭ１０６Ｂに記憶されたテーブルに基づいて、装飾駆動基板１１４を介して駆動モータ２５０の駆動を制御する。
【００７７】
また、ＲＯＭ１０６Ｂには、各基板の制御に必要なデータ（特に遊技の装飾に関する情報）が記憶されている。特に、本実施形態では、遊技状態と駆動モータの駆動タイミングとの関係を示したプログラムが記憶されている。例えば、遊技状態が特定の遊技状態（例えば、スーパーリーチの状態（演出図柄の２つが同一の数字で確定表示され、他の１つの数字が変動表示中の遊技状態））になったときに、駆動モータ２５０の駆動が開始するようなプログラムが記憶されている。
【００７８】
また、図６に示すように、演出表示基板１１０には、演出表示装置１６６（６２）と、演出表示ＲＯＭ１６８と、がそれぞれ電気的に接続されている。この演出表示ＲＯＭ１６８には、演出図柄表示装置６２に変動表示される演出図柄のデータが記憶されている。なお、演出図柄表示装置６２は、演出表示装置１６６の一実施形態である。
【００７９】
また、アンプ基板１１２には、所定の効果音を出力する各種スピーカ１７０（４８）が電気的に接続されている。なお、サブスピーカ４８は、各種スピーカ１７０の一実施形態である。
【００８０】
また、装飾駆動基板１１４には、各種ＬＥＤ・ランプ１７２（６６）と、駆動モータ２５０と、が電気的に接続されている。また、装飾駆動基板１１４は、サブ制御基板１０６からのコマンドを受けて遊技の装飾に関する制御を行うものである。特に、本実施形態では、装飾駆動基板１１４は、駆動モータ２５０の駆動を直接的に制御する。また、演出ボタン基板１７８には、操作スイッチ１７４（４０）が電気的に接続されている。なお、ランプ装置６６は、各種ＬＥＤ・ランプ１７２の一実施形態である。また、演出ボタン４０は、操作スイッチ１７４の一実施形態である。
【００８１】
また、駆動モータ２５０は、可動装飾物２００を移動させるためのモータであり、単一のモータで構成されている。駆動モータ２５０の駆動は、サブ制御基板１０６のＣＰＵ１０６Ａからの駆動信号に基づいて装飾駆動基板１１４を介して制御される。
【００８２】
次に、本発明の第１実施形態に係る遊技機の作用について説明する。
【００８３】
図７乃至図９に示すように、通常の遊技状態（大当り遊技状態、時短遊技状態、確変遊技状態以外の遊技状態）では、可動装飾物２００の食材部材２０６が鍋容器部材２０２の内部に完全に収容され、かつ鍋蓋部材２０４が鍋容器部材２０２の開口部２０８を閉じた状態となっている。なお、この場合、各カム部材の関係は、図１７（Ａ）及び図１８（Ａ）に示す状態になっている。
【００８４】
ここで、遊技状態がスーパーリーチの状態など特定の遊技状態になると、サブ制御基板１０６のＣＰＵ１０６Ａにより装飾駆動基板１１４を介して駆動モータ２５０が駆動される。駆動モータ２５０が駆動すると、駆動シャフト２５２が回転し、各偏心カム部材２５４、２５６、２５８が駆動シャフト２５２と共に回転する。
【００８５】
図１８（Ａ）、（Ｂ）に示すように、駆動シャフト２５２が所定の回転角度だけ回転すると、リンクアーム部材２４４の後端部に形成された爪部材２４４Ａが、左側偏心カム部材２５４及び右側偏心カム部材２５６の大型湾曲部材２５４Ａ、２５６Ａの部位に位置することになる。この状態では、リンクアーム部材２４４は、左側偏心カム部材２５４及び右側偏心カム部材２５６から押圧されるため、各偏心カム部材２５４、２５６側と反対側に直線的に押し出される。
【００８６】
リンクアーム部材２４４が各偏心カム部材２５４、２５６と反対側に押し出されると、回転支持部材２２６の後端部上部にはリンクアーム部材２４４から押圧力が作用するため、回転支持部材２２６は、開く方向に向かって第２回転軸２３６の軸線回りに回転する。このとき、図２０（Ａ）に示すように、装着部材２３８の突出片２４８に形成された突起部材２３４が回転支持部材２２６に形成された溝部２３２に挿入される。突起部材２３４が溝部２３２に挿入されると、突起部材２３４が鍋蓋部材２０４の取付部材２２２に形成された係止片２３０をねじりばね２２８の弾性力に対抗する形で押し上げるため、鍋蓋部材２０４が開く方向に向かって第１回転軸２２４の軸線回りに回転する。これにより、図１０乃至図１２に示すように、可動装飾物２００の鍋蓋部材２０４が開き、鍋容器部材２０２の開口部２０８が開放された状態となる。
【００８７】
なお、この状態では、図１８（Ａ）、（Ｂ）及び図１９（Ａ）、（Ｂ）に示すように、シャフト部材２１８の一方側端部に形成された接触部材２１８Ａが中央偏心カム部材２５８の大型湾曲部材２５８Ａの外周面上に移動していないため、食材部材２０６がシャフト部材２１８から押し上げられて鍋容器部材２０２から飛び出すことはなく、食材部材２０６が鍋容器部材２０２に収容されたままの状態になっている。
【００８８】
続いて、図１７（Ｂ）及び図１８（Ｃ）に示すように、駆動モータ２５０の駆動シャフト２５２がさらに所定の回転角度だけ回転すると、リンクアーム部材２４４の後端部に形成された爪部材２４４Ａが左側偏心カム部材２５４及び右側偏心カム部材２５６の大型湾曲部材２５４Ａ、２５６Ａの別の部位に移動するとともに、図１９（Ｃ）に示すように、シャフト部材２１８の一方側端部に形成された接触部材２１８Ａが中央偏心カム部材２５８の大型湾曲部材２５８Ａの外周面上に位置することになる。
【００８９】
この状態では、鍋蓋部材２０４の開動作が維持されるとともに、シャフト部材２１８がコイルばね２２０からの弾性力（引張力）に対抗する形で中央偏心カム部材２５８から外側に向かって押圧されることになる。シャフト部材２１８が中央偏心カム部材２５８から外側に向かって押圧されると、この状態ではシャフト部材２１８からの押圧力がコイルばね２２０の弾性力（引張力）よりも大きくなるため、食材部材２０６のベース部材２１６がシャフト部材２１８から外側に向かって直線的に押し上げられる。そして、食材部材２０６は、ベース部材２１６と共に押し上げられ、鍋容器部材２０２から突出する。これにより、図１３乃至図１５に示すように、可動装飾物２００の食材部材２０６が鍋容器部材２０２の開口部２０８から飛び出す動作が実現される。すなわち、鍋蓋部材２０４が開いた状態となり、かつ食材部材２０６が鍋容器部材２０２から飛び出した状態となっている。
【００９０】
以上のように、本実施形態では、特定の遊技状態になると、可動装飾物２００の鍋蓋部材２０４が開動作して鍋容器部材２０２の開口部２０８が開放され、その後、所定時間が経過すると、食材部材２０６が鍋容器部材２０２から飛び出すようになる。これにより、鍋蓋部材２０４が開くという一の動作と食材部材２０６が鍋容器部材２０２から飛び出すという別の動作が任意の時間をあけて連続するため、可動装飾物２００の動作を大きく、かつ斬新なものにすることができる。この結果、遊技者に、可動装飾物２００の斬新な動作を印象付けることができ、遊技性を高めることができる。
【００９１】
また、鍋蓋部材２０４の開閉動作と、食材部材２０６の鍋容器部材２０２からの出没動作と、が単一の駆動モータで実現されるため、駆動源の構成を簡易なものにすることができる。これにより、鍋蓋部材２０４の開閉動作と食材部材２０６の鍋容器部材２０２からの出没動作を別々の駆動源により実現する場合と比較して、部品点数を削減でき、ひいては製造コストを低減することができる。
【００９２】
特に、左側偏心カム部材２５４（右側偏心カム部材２５６）と中央偏心カム部材２５８との位相のずれに伴い、鍋蓋部材２０４の開動作と食材部材２０６の鍋容器部材２０２からの飛び出し動作が、任意の時間差で連続するため、鍋蓋部材２０４の開動作から食材部材２０６の鍋容器部材２０２からの飛び出し動作までを時間をあけて円滑に実現することができる。これにより、鍋蓋部材２０４の開動作と食材部材２０６の鍋容器部材２０２からの飛び出し動作を一連の動作として印象付けることができる。この結果、遊技者の興味を惹きつけることができ、遊技興趣を高めることができる。
【００９３】
ここで、鍋蓋部材２０４の開動作と食材部材２０６の鍋容器部材２０２からの飛び出し動作とのタイミング、すなわち、鍋蓋部材２０４の開動作から食材部材２０６の鍋容器部材２０２からの飛び出し動作までの時間差については、左側偏心カム部材２５４（右側偏心カム部材２５６）と中央偏心カム部材２５８との位相のずれを適宜調整することにより、容易に変更することができる。この結果、可動装飾物２００のデザインや大きさなどによって、各動作のタイミングを変更するときの自由度を上げることができる。
【００９４】
なお、鍋蓋部材２０４が開き、かつ食材部材２０６が飛び出した状態から所定の時間が経過すると（特定の遊技状態が終了すると）、サブ制御基板１０６のＣＰＵ１０６Ａにより駆動モータ２５０が駆動されて、駆動モータ２５０の駆動シャフト２５２がさらに所定の回転角度だけ回転する。これにより、図１７（Ａ）及び図１８（Ａ）に示すように、リンクアーム部材２４４の後端部に形成された爪部材２４４Ａが左側偏心カム部材２５４及び右側偏心カム部材２５６の小型湾曲部材２５４Ｂの別の部位に移動するとともに、シャフト部材２１８の一方側端部に形成された接触部材２１８Ａが中央偏心カム部材２５８の小型湾曲部材２５８Ｂの外周面上に位置することになる。
【００９５】
この状態では、図１７（Ａ）、図１８（Ａ）及び図１９（Ａ）に示すように、リンクアーム部材２４４が左側偏心カム部材２５４（右側偏心カム部材２５６）に引っ張られて、リンクアーム部材２４４が左側偏心カム部材２５４（右側偏心カム部材２５６）側に直線的に移動する。これにより、回転支持部材２２６の後端部上部がリンクアーム部材２４４に引っ張られて、回転支持部材２２６が第２回転軸２３６の軸線回りに閉じる方向に向かって逆回転する。回転支持部材２２６が逆回転すると、回転支持部材２２６の先端部が持ち上がる。
【００９６】
回転支持部材２２６の先端部が持ち上がると、図２０（Ｂ）に示すように、装着部材２３８の突出片２４８に形成された突起部材２３４が鍋蓋部材２０４の溝部２３２から抜け出ることになり、突起部材２３４と係止片２３０との接触状態（突起部材２３４の支持状態）が解除される。これにより、鍋蓋部材２０４は、ねじりばね２２８の弾性力により、閉じる方向に向かって第１回転軸２２４の軸線回りを回転することになる。
【００９７】
また同時に、シャフト部材２１８がコイルばね２２０に引っ張られて、シャフト部材２１８が中央偏心カム部材２５８側に直線的に移動する。これにより、図７乃至図９に示すように、食材部材２０６及びベース部材２１６は、シャフト部材２１８に引っ張られて、食材部材２０６は、ベース部材２１６と共に、鍋容器部材２０２の内部に引き込まれる。この結果、食材部材２０６が鍋容器部材２０２に完全に収容される。
【００９８】
そして、食材部材２０６が鍋容器部材２０２に完全に収容されるときに、鍋蓋部材２０４が鍋容器部材２０２の開口部２０８を閉塞し、可動装飾物２００が遊技当初の状態に戻る。このようにして、可動装飾物２００の斬新な一連の動作が実現される。この結果、遊技状態に応じて、遊技者に可動装飾物２００の斬新な動作を印象付けることができるため、遊技性を一層高めることができる。
【００９９】
なお、その他の例として、偏心カム部材を使用せず、駆動手段を２つ備えた構成が考えられる。この構成の駆動手段として、例えば、ソレノイドを２個使用する。そして、駆動制御上の時間差で、鍋蓋部材を開けた後、任意の時間をあけて、食材部材が飛び出すようにしてもよい。ただし、単一の駆動手段を用いた第１実施形態のほうが、省スペースで部品点数も削減でき、製造コストも低減することができるので一層好ましい。
【図面の簡単な説明】
【０１００】
【図１】本発明の第１実施形態に係る遊技機の正面図である。
【図２】本発明の第１実施形態に係る遊技機の側面図である。
【図３】本発明の第１実施形態に係る遊技機の遊技盤の正面図であり、特に可動役物が閉動作している状態の正面図である。
【図４】本発明の第１実施形態に係る遊技機の遊技盤の正面図であり、特に可動役物が開動作している状態の正面図である。
【図５】本発明の第１実施形態に係る遊技機の制御システムに関するブロック図である。
【図６】本発明の第１実施形態に係る遊技機のサブ制御基板を説明するためのブロック図である。
【図７】本発明の第１実施形態に係る遊技機に用いられる可動役物が閉動作しているとき（開閉部材が閉じ、かつ被収容部材が収容部材に収容されている状態）の任意の角度から見た斜視図である。
【図８】本発明の第１実施形態に係る遊技機に用いられる可動役物が閉動作しているとき（開閉部材が閉じ、かつ被収容部材が収容部材に収容されている状態）の図７とは異なる任意の角度から見た斜視図である。
【図９】本発明の第１実施形態に係る遊技機に用いられる可動役物が閉動作しているとき（開閉部材が閉じ、かつ被収容部材が収容部材に収容されている状態）の図７及び図８とは異なる任意の角度から見た斜視図である。
【図１０】本発明の第１実施形態に係る遊技機に用いられる可動役物が開動作しているとき（開閉部材が開き、かつ被収容部材が収容部材に収容されている状態）の任意の角度から見た斜視図である。
【図１１】本発明の第１実施形態に係る遊技機に用いられる可動役物が開動作しているとき（開閉部材が開き、かつ被収容部材が収容部材に収容されている状態）の図１０とは異なる任意の角度から見た斜視図である。
【図１２】本発明の第１実施形態に係る遊技機に用いられる可動役物が開動作しているとき（開閉部材が開き、かつ被収容部材が収容部材に収容されている状態）の図１０及び図１１とは異なる任意の角度から見た斜視図である。
【図１３】本発明の第１実施形態に係る遊技機に用いられる可動役物が完全開動作しているとき（開閉部材が開き、かつ被収容部材が収容部材から飛び出している状態）の任意の角度から見た斜視図である。
【図１４】本発明の第１実施形態に係る遊技機に用いられる可動役物が完全開動作しているとき（開閉部材が開き、かつ被収容部材が収容部材から飛び出している状態）の図１３とは異なる任意の角度から見た斜視図である。
【図１５】本発明の第１実施形態に係る遊技機に用いられる可動役物が完全開動作しているとき（開閉部材が開き、かつ被収容部材が収容部材から飛び出している状態）の図１３及び図１４とは異なる任意の角度から見た斜視図である。
【図１６】本発明の第１実施形態に係る遊技機に用いられる可動役物が完全開動作しているとき（開閉部材が開き、かつ被収容部材が収容部材から飛び出している状態）の図１３、図１４及び図１５とは異なる任意の角度から見た斜視図である。
【図１７】（Ａ）は可動役物が閉動作しているとき（開閉部材が閉じ、かつ被収容部材が収容部材に収容されている状態）の各偏心カム部材の状態を示した構成図であり、（Ｂ）は可動役物が完全開動作しているとき（開閉部材が開き、かつ被収容部材が収容部材から飛び出している状態）の各偏心カム部材の状態を示した構成図である。
【図１８】（Ａ）は可動役物が閉動作しているとき（開閉部材が閉じ、かつ被収容部材が収容部材に収容されている状態）の各偏心カム部材の状態を示した側面図であり、（Ｂ）は可動役物が開動作しているとき（開閉部材が開き、かつ被収容部材が収容部材に収容されている状態）の各偏心カム部材の状態を示した側面図であり、（Ｃ）は可動役物が完全開動作しているとき（開閉部材が開き、かつ被収容部材が収容部材から飛び出している状態）の各偏心カム部材の状態を示した側面図である。
【図１９】（Ａ）は可動役物が閉動作しているとき（開閉部材が閉じ、かつ被収容部材が収容部材に収容されている状態）の被収容部材と偏心カム部材との位置関係を示した模式図であり、（Ｂ）は可動役物が開動作しているとき（開閉部材が開き、かつ被収容部材が収容部材に収容されている状態）の被収容部材と偏心カム部材との位置関係を示した模式図であり、（Ｃ）は可動役物が完全開動作しているとき（開閉部材が開き、かつ被収容部材が収容部材から飛び出している状態）の被収容部材と偏心カム部材との位置関係を示した模式図である。
【図２０】（Ａ）は可動役物の開閉部材が開動作しているときの構成図であり、（Ｂ）は可動役物の開閉部材が閉動作しているときの構成図である。
【符号の説明】
【０１０１】
１０        パチンコ機（遊技機）
６２        演出図柄表示装置（表示装置）
２００      可動装飾物（可動役物）
２０２      鍋容器部材（収容部材）
２０４      鍋蓋部材（開閉部材）
２０６      食材部材（被収容部材）
２０８      開口部
２１８      シャフト部材（駆動力伝達手段、第２アーム部材）
２２６      回転支持部材（駆動力伝達手段、第１アーム部材）
２４４      リンクアーム部材（駆動力伝達手段、第１アーム部材）
２５０      駆動モータ（駆動手段、駆動源）
２５４      左側偏心カム部材（駆動力伝達手段、第１偏心カム部材）
２５６      右側偏心カム部材（駆動力伝達手段、第１偏心カム部材）
２５８      中央偏心カム部材（駆動力伝達手段、第２偏心カム部材）
【図１】
0004912248.tif 000002
【図２】
0004912248.tif 000003
【図３】
0004912248.tif 000004
【図４】
0004912248.tif 000005
【図５】
0004912248.tif 000006
【図６】
0004912248.tif 000007
【図７】
0004912248.tif 000008
【図８】
0004912248.tif 000009
【図９】
0004912248.tif 000010
【図１０】
0004912248.tif 000011
【図１１】
0004912248.tif 000012
【図１２】
0004912248.tif 000013
【図１３】
0004912248.tif 000014
【図１４】
0004912248.tif 000015
【図１５】
0004912248.tif 000016
【図１６】
0004912248.tif 000017
【図１７】
0004912248.tif 000018
【図１８】
0004912248.tif 000019
【図１９】
0004912248.tif 000020
【図２０】
0004912248.tif 000021